(57)【要約】【課題】防水性、音量および生産性の向上を図ることができる報知装置ならびにこれを備える信号表示灯を提供すること。【解決手段】音響ユニット３では、誘導空間形成部材４５が音源ホルダ１３と協働して誘導空間６２を形成する。音源ホルダ１３は、音源１４から下側Ｄに延設された第１音導管１９で囲まれる第１音導空間部１９Ｂと、第１音導管１９の下端に連設されて下側Ｄへ向けて広がる第１傾斜管２０で囲まれる第１空間部２０Ｂとを有する。誘導空間形成部材４５は、第１空間部２０Ｂに接続される上側開口４０と、上側開口４０から下側Ｄへ延びる第２空間部３８Ｂの下側Ｄに設けられる下側開口３６と、下側開口３６と出力開口４３との間を中継する第２音導空間部４４とを有する。誘導空間６２は、第１音導空間部１９Ｂと、第１空間部２０Ｂと、第２空間部３８Ｂと、第２音導空間部４４とから構成される。【選択図】図１９
2016014732.tif 000002
【特許請求の範囲】
【請求項１】
音源を実装した音源実装基板と、
音源を収納するよう音源実装基板を上側に保持する音源ホルダと、
音源ホルダと協働して、音源が発した音を下側へ導く誘導空間を形成する誘導空間形成部材と、
誘導空間内の下側に設けられ、誘導された音を出力する出力開口と、
を備えた報知装置であって、
音源ホルダは、音源の放音部から下側に延設され、放音部の音を下側へ導く第１音導管と、第１音導管の下端に連設され下側へ向けて広がる第１傾斜管と、第１音導管で囲まれる第１音導空間部と、第１傾斜管で囲まれる第１空間部とを有し、
誘導空間形成部材は、音源ホルダが上側に載置され、第１空間部および第１傾斜管に接続される上側開口と、上側開口から下側へ筒状に延びる筒状管と、筒状管で囲まれる第２空間部と、第２空間部の下側に設けられ、上側開口よりも狭い下側開口と、下側開口と出力開口との間を中継する第２音導管と、第２音導管で囲まれる第２音導空間部とを有し、
誘導空間は、第１音導空間部と、第１空間部と、第２空間部と、第２音導空間部とから構成されることを特徴とする報知装置。
【請求項２】
誘導空間形成部材は、筒状管に連設され、下側開口に向かって狭まる第２傾斜管を有し、
第２傾斜管で囲まれる第３空間部は、第２空間部と第２音導空間部とに連通していることを特徴とする請求項１記載の報知装置。
【請求項３】
誘導空間形成部材と一体化された本体ケースを有し、
本体ケースには、その前面から後側へ上面および下面を形成するように窪む凹部が形成され、
凹部は、その後端で上下左右に延びる背面を有し、
出力開口は、背面に対して前側に位置していることを特徴とする請求項１または２記載の報知装置。
【請求項４】
背面において出力開口に対して後側から対向する位置には、出力開口から出力された音を左右に導く凸部が設けられていることを特徴とする請求項３記載の報知装置。
【請求項５】
凹部内に設けられ、出力開口から出力されて凹部の背面で反射した音を本体ケースの前側へ導くガイド部材を備えていることを特徴とする請求項３または４記載の報知装置。
【請求項６】
ガイド部材は、左右に間隔を隔てて複数設けられ、
隣り合うガイド部材の互いの対向面は、前側に向かうにつれて広がることを特徴とする請求項５記載の報知装置。
【請求項７】
ガイド部材は、出力開口の前側に配置されて、前側から出力開口への水滴の浸入を阻止する防滴壁を含むことを特徴とする請求項５または６記載の報知装置。  
【請求項８】
所定の信号を発信する信号ユニットと、信号ユニットに連結される音響ユニットとを含む報知装置であって、
音響ユニットは、
音源を実装した音源実装基板と、
音源を収納するよう音源実装基板を上側に保持する音源ホルダと、
音源ホルダと協働して、音源が発した音を下側へ導く誘導空間を形成する誘導空間形成部材と、
誘導空間内の下側に設けられ、誘導された音を出力する出力開口と、
を備え、
音源ホルダは、音源の放音部から下側に延設され、放音部の音を下側へ導く第１音導管と、第１音導管の下端に連設され下側へ向けて広がる第１傾斜管と、第１音導管で囲まれる第１音導空間部と、第１傾斜管で囲まれる第１空間部とを有し、
誘導空間形成部材は、音源ホルダが上側に載置され、第１空間部および第１傾斜管に接続される上側開口と、上側開口から下側へ筒状に延びる筒状管と、筒状管で囲まれる第２空間部と、第２空間部の下側に設けられ、上側開口よりも狭い下側開口と、下側開口と出力開口との間を中継する第２音導管と、第２音導管で囲まれる第２音導空間部とを有し、
誘導空間は、第１音導空間部と、第１空間部と、第２空間部と、第２音導空間部とから構成されることを特徴とする報知装置。
【請求項９】
請求項３〜７のいずれかに記載の報知装置を備え、本体ケースの上側および下側の少なくともいずれかに、所定の信号を発信する信号ユニットを備えたことを特徴とする信号表示灯。
【請求項１０】
本体ケースは、その後側に信号ユニットの配線用空間を有することを特徴とする請求項９記載の信号表示灯。
【発明の詳細な説明】
【技術分野】
【０００１】
この発明は、報知装置およびこれを備える信号表示灯に関する。
【背景技術】
【０００２】
下記の特許文献１で開示された信号表示灯は、垂直方向に延びる円筒状であり、複数の表示ユニットと音響報知ユニットとを連結することによって構成されている。音響報知ユニットにおいて略円筒形を有す筒状ケースの側面には、拡声スロート部のついた蓋体が装着される円形の開口部が形成され、開口部は、水平方向に延びる円筒部を備えている。円筒部の内壁面の上部には、連通孔が垂直下向きに形成されている。連通孔の上側には、スピーカおよびその装着基板を格納し支持するための音源設置部が、筒状ケースの内側面と一体的に形成されている。スピーカから発生した音波は、連通孔から導かれて拡声スロート部を下側へ進み、拡声スロート部の音響放射口から水平方向に放たれる。
【先行技術文献】
【特許文献】
【０００３】
【特許文献１】特開２００９−１７１３２号公報
【発明の概要】
【発明が解決しようとする課題】
【０００４】
特許文献１で開示された音響報知ユニットのような報知装置では、水がかかりやすい環境下で使用されることを考慮すると、スピーカ等の内部部品が濡れることを防止するために、防水性の向上が求められる。また、報知装置の性格上、報知装置が発した音をユーザが聞き取れるように、報知装置の高音量化も求められる。さらに、特許文献１の音響報知ユニットの筒状ケースに対するスピーカの組み付け性の向上、つまり、報知装置の生産性の向上も求められる。
【０００５】
この発明は、かかる背景のもとでなされたもので、防水性、音量および生産性の向上を図ることができる報知装置ならびにこれを備える信号表示灯を提供することを目的とする。
【課題を解決するための手段】
【０００６】
請求項１記載の発明は、音源を実装した音源実装基板と、音源を収納するよう音源実装基板を上側に保持する音源ホルダと、音源ホルダと協働して、音源が発した音を下側へ導く誘導空間を形成する誘導空間形成部材と、誘導空間内の下側に設けられ、誘導された音を出力する出力開口と、を備えた報知装置であって、音源ホルダは、音源の放音部から下側に延設され、放音部の音を下側へ導く第１音導管と、第１音導管の下端に連設され下側へ向けて広がる第１傾斜管と、第１音導管で囲まれる第１音導空間部と、第１傾斜管で囲まれる第１空間部とを有し、誘導空間形成部材は、音源ホルダが上側に載置され、第１空間部および第１傾斜管に接続される上側開口と、上側開口から下側へ筒状に延びる筒状管と、筒状管で囲まれる第２空間部と、第２空間部の下側に設けられ、上側開口よりも狭い下側開口と、下側開口と出力開口との間を中継する第２音導管と、第２音導管で囲まれる第２音導空間部とを有し、誘導空間は、第１音導空間部と、第１空間部と、第２空間部と、第２音導空間部とから構成されることを特徴とする報知装置である。
【０００７】
請求項２記載の発明は、誘導空間形成部材は、筒状管に連設され、下側開口に向かって狭まる第２傾斜管を有し、第２傾斜管で囲まれる第３空間部は、第２空間部と第２音導空間部とに連通していることを特徴とする請求項１記載の報知装置である。
請求項３記載の発明は、誘導空間形成部材と一体化された本体ケースを有し、本体ケースには、その前面から後側へ上面および下面を形成するように窪む凹部が形成され、凹部は、その後端で上下左右に延びる背面を有し、出力開口は、背面に対して前側に位置していることを特徴とする請求項１または２記載の報知装置である。
【０００８】
請求項４記載の発明は、背面において出力開口に対して後側から対向する位置には、出力開口から出力された音を左右に導く凸部が設けられていることを特徴とする請求項３記載の報知装置である。
請求項５記載の発明は、凹部内に設けられ、出力開口から出力されて凹部の背面で反射した音を本体ケースの前側へ導くガイド部材を備えていることを特徴とする請求項３または４記載の報知装置である。
【０００９】
請求項６記載の発明は、ガイド部材は、左右に間隔を隔てて複数設けられ、隣り合うガイド部材の互いの対向面は、前側に向かうにつれて広がることを特徴とする請求項５記載の報知装置である。
請求項７記載の発明は、ガイド部材は、出力開口の前側に配置されて、前側から出力開口への水滴の浸入を阻止する防滴壁を含むことを特徴とする請求項５または６記載の報知装置である。
【００１０】
請求項８記載の発明は、所定の信号を発信する信号ユニットと、信号ユニットに連結される音響ユニットとを含む報知装置であって、音響ユニットは、音源を実装した音源実装基板と、音源を収納するよう音源実装基板を上側に保持する音源ホルダと、音源ホルダと協働して、音源が発した音を下側へ導く誘導空間を形成する誘導空間形成部材と、誘導空間内の下側に設けられ、誘導された音を出力する出力開口と、を備え、音源ホルダは、音源の放音部から下側に延設され、放音部の音を下側へ導く第１音導管と、第１音導管の下端に連設され下側へ向けて広がる第１傾斜管と、第１音導管で囲まれる第１音導空間部と、第１傾斜管で囲まれる第１空間部とを有し、誘導空間形成部材は、音源ホルダが上側に載置され、第１空間部および第１傾斜管に接続される上側開口と、上側開口から下側へ筒状に延びる筒状管と、筒状管で囲まれる第２空間部と、第２空間部の下側に設けられ、上側開口よりも狭い下側開口と、下側開口と出力開口との間を中継する第２音導管と、第２音導管で囲まれる第２音導空間部とを有し、誘導空間は、第１音導空間部と、第１空間部と、第２空間部と、第２音導空間部とから構成されることを特徴とする報知装置である。
【００１１】
請求項９記載の発明は、請求項３〜７のいずれかに記載の報知装置を備え、本体ケースの上側および下側の少なくともいずれかに、所定の信号を発信する信号ユニットを備えたことを特徴とする信号表示灯である。
請求項１０記載の発明は、本体ケースは、その後側に信号ユニットの配線用空間を有することを特徴とする請求項９記載の信号表示灯である。
【発明の効果】
【００１２】
請求項１、８および９記載の発明によれば、音源が発した音は、音源ホルダと誘導空間形成部材との協働によって形成された誘導空間によって下側へ導かれる。そして、導かれた音は、誘導空間内の下側の出力開口から出力される。そのため、音源および音源実装基板は、出力開口から誘導空間を隔てて上側に離れて配置されていることから、出力開口に水がかかったとしても、その水が音源および音源実装基板に届きにくいので、防水性の向上を図ることができる。
【００１３】
誘導空間は、音源の放音部から下側に延びる第１音導空間部と、第１音導空間部から下側へ向けて広がる第１空間部と、第１空間部に接続される上側開口から下側へ筒状に延びる第２空間部と、第２空間部の下側に設けられて上側開口よりも狭い下側開口と出力開口との間を中継する第２音導空間部とから構成されている。このように第２空間部の下側が下側開口によって絞られた構成の誘導空間では、音源が放音部から発した音は、ヘルムホルツの原理によって共鳴し、出力開口から出力される。
【００１４】
音を発生するために振動する空気がカルマン渦を発生させると、空気の流れが悪くなり、音量の向上を阻害する。本発明では、第１音導空間部から下側へ向けて広がる第１空間部によってカルマン渦の発生が抑えられる。そのため、音を発生するために振動する空気は、誘導空間を出力開口まで円滑に流れる。これにより、出力開口から出力される音の音圧が向上するので、音量の向上を図ることができる。
【００１５】
また、誘導空間形成部材へ音源を装着する場合、音源ホルダを誘導空間形成部材に載置し、その音源ホルダの上に音源実装基板を組み付ける。それにより、音源の実装しやすさが向上するから、報知装置の生産性の向上を図ることができる。
請求項２記載の発明によれば、下側開口に向かって狭まった第３空間部によって、第２空間部と第２音導空間部との間におけるカルマン渦の発生が抑えられる。そのため、音を発生するために振動する空気は、誘導空間を出力開口まで一層円滑に流れる。これにより、出力開口から出力される音の音圧が一層向上するので、音量の更なる向上を図ることができる。
【００１６】
なお、誘導空間内において、出力開口へ向かう音波と音源側へ反射する音波（「反射波」という。）との干渉が、音圧の向上を妨げる原因の一つと考えられる。この場合、第３空間部は、反射波を拡散して緩和する。それにより、前述した干渉が抑制され、第３空間部の設置によっても音圧の向上を図れる。
請求項３記載の発明によれば、誘導空間形成部材と一体化された本体ケースには、その前面から後側へ窪む凹部が形成されている。出力開口は、凹部の後端で上下左右に延びる背面に対して前側に位置している。この場合、出力開口から出力された音は、出力開口が背面に対して前側から対向するので、凹部の背面で反射して本体ケースの前側に報知される。また、出力開口が背面に対して前側から対向していると、本体ケースに前側から水がかかっても水が出力開口に直接かからない。そのため、前側からの水は、出力開口から誘導空間を隔てて上側に離れて配置された音源および音源実装基板に水が届きにくく、防水性の更なる向上を図ることができる。
【００１７】
請求項４記載の発明によれば、出力開口から出力された音が凹部の背面で反射する際、この音を、背面において出力開口に対して後側から対向する凸部によって左右に導くことができる。これにより、凹部の背面で反射した音を、出力開口を避けて円滑に前側に報知することができるので、音量の更なる向上を図ることができる。
請求項５記載の発明によれば、凹部内に設けられたガイド部材によって、凹部の背面で反射した音を本体ケースの前側へ円滑に導けるので、音量の更なる向上を図ることができる。
【００１８】
請求項６記載の発明によれば、左右に間隔を隔てて複数設けられたガイド部材のうち、隣り合うガイド部材の互いの対向面は、前側に向かうにつれて広がった形状である。そのため、凹部の背面で反射した音をこれらの対向面の間で増幅することにより、音量の更なる向上を図ることができる。
請求項７記載の発明によれば、出力開口の前側に配置された防滴壁によって、前側から出力開口への水滴の浸入を阻止できる。従って、出力開口から誘導空間を隔てて上側に離れて配置された音源および音源実装基板に水が届きにくいので、防水性の更なる向上を図ることができる。
【００１９】
請求項１０記載の発明によれば、報知装置の本体ケースの上側および下側の少なくともいずれかに信号ユニットを備えた信号表示灯では、本体ケースが、その後側に信号ユニットの配線用空間を有するので、配線用空間に信号ユニットの配線を納めることによって、信号表示灯全体をコンパクトに構成することができる。
【図面の簡単な説明】
【００２０】
【図１】図１は、この発明の一実施形態に係る信号表示灯１を上側から見た斜視図である。
【図２】図２は、信号表示灯１の分解斜視図である。
【図３】図３は、信号表示灯１に含まれる音響ユニット３の正面図である。
【図４】図４は、音響ユニット３の右側面図である。
【図５】図５は、音響ユニット３を右上側から見た斜視図である。
【図６】図６は、音響ユニット３の背面上側から見た分解斜視図である。
【図７Ａ】図７Ａは、音源ホルダ１３の斜視図である。
【図７Ｂ】図７Ｂは、図７Ａとは別の方向から見た音源ホルダ１３の斜視図である。
【図７Ｃ】図７Ｃは、一部の縦断面を示した音源ホルダ１３の部分斜視図である。
【図７Ｄ】図７Ｄは、図７Ｃとは別の方向から見た音源ホルダ１３の部分斜視図である。
【図８】図８は、音響ユニット３の平面図である。
【図９】図９は、音響ユニット３の底面図である。
【図１０】図１０は、音源実装基板１１が取り外された状態における音響ユニット３の平面図である。
【図１１】図１１は、音源実装基板１１および音源ホルダ１３が取り外された本体ケース９の平面図である。
【図１２】図１２（ａ）は、正面上側から見た本体ケース９の斜視図であり、図１２（ｂ）は、図１２（ａ）の矢印ｂが指す位置の断面（図３のＸＩＩｂ−ＸＩＩｂ線における断面）を露出させた斜視図であり、図１２（ｃ）は、図１２（ａ）の矢印ｃが指す位置の断面（図３のＸＩＩｃ−ＸＩＩｃ線における断面）を露出させた斜視図である。
【図１３】図１３（ａ）は、正面下側から見た本体ケース９の斜視図であり、図１３（ｂ）は、図１３（ａ）の矢印ｂが指す位置の断面（図３のＸＩＩＩｂ−ＸＩＩＩｂ線における断面）を露出させた斜視図であり、図１３（ｃ）は、図１３（ａ）の矢印ｃが指す位置の断面（図３のＸＩＩＩｃ−ＸＩＩＩｃ線における断面）を露出させた斜視図である。
【図１４】図１４（ａ）は、背面上側から見た音響ユニット３の斜視図であり、図１４（ｂ）は、図１４（ａ）の矢印ｂが指す位置の断面（図１１のＸＩＶｂ−ＸＩＶｂ線における断面）を露出させた斜視図であり、図１４（ｃ）は、図１４（ａ）の矢印ｃが指す位置の断面（図１１のＸＩＶｃ−ＸＩＶｃ線における断面）を露出させた斜視図であり、図１４（ｄ）は、図１４（ａ）の矢印ｄが指す位置の断面（図１１のＸＩＶｄ−ＸＩＶｄ線における断面）を露出させた斜視図である。
【図１５】図１５は、図８のＸＶ−ＸＶ矢視断面図であって、各部品を分離して示した状態を示す図である。
【図１６】図１６は、図８のＸＶＩ−ＸＶＩ矢視断面図であって、各部品を分離して示した状態を示す図である。
【図１７Ａ】図１７Ａは、正面上側から見た音響ユニット３の斜視図である。
【図１７Ｂ】図１７Ｂは、図１７Ａの矢印ｂが指す位置の断面（図８のＸＶＩＩｂ−ＸＶＩＩｂ線における断面）を露出させた斜視図である。
【図１７Ｃ】図１７Ｃは、図１７Ａの矢印ｃが指す位置の断面（図８のＸＶＩＩｃ−ＸＶＩＩｃ線における断面）を露出させた斜視図である。
【図１８】図１８（ａ）は、右上側から見た音響ユニット３の斜視図であり、図１８（ｂ）は、図１８（ａ）の矢印ｂが指す位置の断面（図８のＸＶＩＩＩｂ−ＸＶＩＩＩｂ線における断面）を露出させた斜視図である。
【図１９】図１９は、図８のＸＩＸ−ＸＩＸ矢視断面図である。
【図２０】図２０は、図１９のＸＸ−ＸＸ矢視断面図である。
【図２１】図２１は、図２０に対応し、第１変形例を適用した断面図である。
【図２２】図２２は、図２０に対応し、第２変形例を適用した断面図である。
【図２３】図２３は、図２０に対応し、第３変形例を適用した断面図である。
【図２４】図２４は、図２０に対応し、第４変形例を適用した断面図である。
【図２５】図２５は、図２０に対応し、第５変形例を適用した断面図である。
【図２６】図２６は、図１１に対応し、第６変形例を適用した断面図である。
【図２７】図２７（ａ）は、第７変形例に係る本体ケース９の斜視図であり、図２７（ｂ）は、第７変形例に係る音源ホルダ１３の斜視図である。
【図２８】図２８は、信号表示灯１の第８変形例に係るＬＥＤ照明１Ａの斜視図である。
【図２９】図２９は、第９変形例に係るＬＥＤ照明１Ａの斜視図である。
【発明を実施するための形態】
【００２１】
以下には、図面を参照して、この発明の実施形態について具体的に説明する。図１は、この発明の一実施形態に係る信号表示灯１を上側から見た斜視図である。
図１を参照して、信号表示灯１は、工場の製造現場等において、現場の状況等を人に報知するために使用される。以下では、縦長（直立）の姿勢を基準として信号表示灯１について説明する。
【００２２】
信号表示灯１は、光等の目視できる所定の信号を発信する信号ユニット２と、音を発する報知装置としての音響ユニット３とを含んでいる。
信号表示灯１は、上下方向Ｘに延びる柱状の脚４の上端に連結された円盤状のベース５の上に設置されている。音響ユニット３は、ベース５に上側Ｕから連結される。信号ユニット２は、音響ユニット３に上側Ｕから連結される。
【００２３】
連結状態にある信号ユニット２および音響ユニット３は、上下方向Ｘに長手であってほぼ同じ太さ（直径）で上下方向Ｘに延びる円筒形状を構成している。以下では、当該円筒の径方向Ｑおよび周方向Ｓと、前述した上下方向Ｘとを主に用いて、信号表示灯１を構成する各部材を説明する。以下で説明する信号表示灯１の外周面の直径は、約４０ｍｍ〜６０ｍｍである。
【００２４】
また、この明細書において、「連結」という用語に関し、２つの部材を連結することは、一方の部材を他方の部材に対して着脱可能に装着すること、および、一方の部材を他方の部材に単に載せることも含まれる。
図２は、信号表示灯１の分解斜視図である。
図２を参照して、信号ユニット２は、上下方向Ｘに延びる軸線を有する円筒状のボディ６およびケース７と、円盤状のヘッドカバー８とを備えている。ケース７は、ボディ６に上側Ｕから連結される。ヘッドカバー８は、ケース７の上端部に上側Ｕから連結される。それによって、信号ユニット２が完成する。ケース７は、透明または透光性を有する。ケース７内には、発光ユニット（図示せず）が収容される。
【００２５】
この発光ユニットは、上下方向Ｘに延びる実装基板と、この実装基板に実装された複数のＬＥＤと、たとえばレンズとを含んでいる。ＬＥＤからの光は、対応するレンズとケース７とを透過して信号ユニット２の周囲に向けて放射される。発光ユニットが所定のパターンで点灯することによって、信号ユニット２は所定の信号を発信する。
音響ユニット３は、内部に音源を有し、各種の音・音声信号を発するユニットである。音響ユニット３は、上下方向Ｘに延びる軸線を有する円筒状である。音響ユニット３は、その外郭をなす円筒状の本体ケース９を有する。本体ケース９は、樹脂製である。本体ケース９の上端部は、信号ユニット２の下端部の下側Ｄに連結される。そのため、本体ケース９の上側Ｕに信号ユニット２が配置される。また、ベース５は、本体ケース９の下端部の下側Ｄに連結される。
【００２６】
脚４には、上下方向Ｘに延びて上側Ｕに露出される内部空間４Ａが形成されている。また、ベース５を上下方向Ｘに貫通する貫通孔５Ａが、ベース５に形成されている。信号ユニット２および音響ユニット３の制御信号や電力の供給を行うケーブル（図示せず）が、内部空間４Ａおよび貫通孔５Ａに挿通されている。これらケーブルで供給される制御信号や電力は、本体ケース９の内部空間９Ｄ（後述する）を介して、信号ユニット２へ供給される。
【００２７】
図３は、音響ユニット３の正面図である。図４は、音響ユニット３の右側面図である。
図３を参照して、音響ユニット３の本体ケース９は、上下方向Ｘに延びる軸線を有する円筒状である。周方向Ｓに長手の略長方形状をなす開口１０が、本体ケース９の外周面９Ａの上下方向Ｘにおける略中央部において周方向Ｓにおける略半分の領域に形成されている。図３および図４を参照し、以下では、本体ケース９において、開口１０が形成された側を音響ユニット３の前側Ｆといい、前側Ｆとは反対側を音響ユニット３の後側Ｂという。前側Ｆから見たときを基準として、音響ユニット３の左側Ｌおよび右側Ｒを規定する。なお、左側Ｌおよび右側Ｒを含む方向を左右方向Ｙといい、前側Ｆおよび後側Ｂを含む方向を前後方向Ｚという。
【００２８】
また、外周面９Ａにおいて、開口１０が形成された前側Ｆの領域は、本体ケース９の前面９Ｂである。開口１０の一部として本体ケース９を左右方向Ｙに貫通する開口２５が、開口１０の後側Ｂに存在する。
図５は、音響ユニット３を右上側から見た斜視図である。図６は、音響ユニット３の分解斜視図である。
【００２９】
図５および図６を参照して、音響ユニット３は、本体ケース９と、音源実装基板１１と、ボルト１２と、音源ホルダ１３とを含んでいる。
音源実装基板１１は、上下方向Ｘに薄く、上下方向Ｘから見て略半円形状に形成されている。音源実装基板１１において、その円弧部分の周方向における両側の近傍には、円形状の貫通孔１１Ａが１つずつ形成されている。貫通孔１１Ａは、音源実装基板１１を上下方向Ｘに貫通する。音源実装基板１１の円弧部分は、本体ケース９の内周面９Ｃに沿う形状である。音源実装基板１１の両側は、本体ケース９に装着する際に把持される把持部分１１Ｂとして機能する。把持部分１１Ｂにより、本体ケース９への音源実装基板１１の組み立て性が向上する。
【００３０】
音源実装基板１１の下面１１Ｃにおいて、２つの貫通孔１１Ａの間の領域には、音源１４が下側Ｄから実装される。それにより、音源１４は、音源実装基板１１と一体化されている。音源１４は、上下方向Ｘに延びる軸線を有する略円柱状のブザーである。音源１４の下面は、音源１４が発した音が出力される放音部１４Ａである。音源１４に接続された配線１５は、音源実装基板１１を貫通して上側Ｕに延び出ていて、前述のケーブルに接続される。
【００３１】
ボルト１２は、各貫通孔１１Ａに対して上側Ｕから１本ずつ挿通される。
音源ホルダ１３は、樹脂製であり、本体部１６と、支持部１７とを一体的に含んでいる。音源ホルダ１３は、本体ケース９に装着される。音源実装基板１１は、音源ホルダ１３の上側Ｕに設置され、ボルト１２により本体ケース９に固定される。支持部１７は、本体ケース９への音源ホルダ１３および音源実装基板１１の固定に寄与する。
【００３２】
本体部１６は、音源１４を収容し、本体ケース９と協働して、後述する誘導空間６２を形成する。本体部１６は、上下方向Ｘに延びる軸線を有する略円筒状である。本体部１６には、上下方向Ｘに本体部１６を貫通する内部空間１６Ａが形成されている。本体部１６は、上側Ｕから順に、収納部１８と、第１音導管１９と、第１傾斜管２０とを含む。収納部１８、第１音導管１９および第１傾斜管２０は、略円筒状であり、これらが上下方向Ｘに連なることによって本体部１６が構成されている。
【００３３】
図７Ａおよび図７Ｂは、音源ホルダ１３を別々の方向から見た斜視図である。図７Ｃおよび図７Ｄは、一部の縦断面を示した音源ホルダ１３の部分斜視図である。
図７Ｃおよび図７Ｄを参照して、本体部１６において、収納部１８の内周面１８Ａで囲まれる空間を収納空間１８Ｂといい、第１音導管１９の内周面１９Ａで囲まれる空間を第１音導空間部１９Ｂといい、第１傾斜管２０の内周面２０Ａで囲まれる空間を第１空間部２０Ｂという。
【００３４】
本体部１６は、音量向上を図る上で必要な空間部の一部を担っている。つまり、収納空間１８Ｂ、第１音導空間部１９Ｂおよび第１空間部２０Ｂによって本体部１６の内部空間１６Ａが構成されている。内部空間１６Ａは、収納空間１８Ｂの下端で一段縮径されて第１音導空間部１９Ｂとなり、第１空間部２０Ｂでは下側Ｄへ向けて次第に拡径されている。
【００３５】
収納部１８、第１音導管１９および第１傾斜管２０では、それぞれの外周面が面一となっている。一方、収納部１８、第１音導管１９および第１傾斜管２０のそれぞれの内周面の一部では、形状が異なっている。
図６および図７Ａ〜図７Ｄを参照して、収納部１８は、音源実装基板１１が装着された状態において、音源１４を内部に収納する。収納部１８の内周面１８Ａは、円筒状である。内周面の大きさ（直径）は、収納部１８に収納される音源１４の直径と略同等である。収納部１８の上下方向Ｘにおける内部高さは、収納される音源１４の高さと略同等である。収納部１８の径方向において、収納部１８の中心と、収納する音源１４の放音部１４Ａの中心は、略一致する。
【００３６】
第１音導管１９は、収納部１８の下側Ｄに連通状態で位置する。第１音導管１９は、上下方向Ｘにおける全域において、同じ直径を有する円筒状である。また、第１音導管１９の径方向の中心位置と、収納部１８の径方向の中心位置は、上下方向Ｘから見て略一致する。つまり、径方向において、音源１４の中心位置と、第１音導管１９の中心位置は略一致する。また、第１音導管１９の内周面１９Ａは、収納部１８の内周面１８Ａよりも小径であり上下方向Ｘに短い。これにより、収納部１８と第１音導管１９の間に段差部分２６が生じる（図７Ｃおよび図７Ｄ参照）。音源１４において放音部１４Ａの周辺部分が、直接的に、または当該周辺部分に設けられる防水パッキン（非図示）を介して間接的に、段差部分２６に接触する。それにより、音源１４の放音部１４Ａから吹鳴された音は、第１音導管１９に導かれる。
【００３７】
第１傾斜管２０は、第１音導管１９の下側Ｄに連通状態で位置する。第１傾斜管２０の内周面２０Ａは、第１音導管１９の内周面１９Ａの下端から下側Ｄへ向けて拡径する円錐状である。つまり、第１傾斜管２０は、第１音導管１９の下端に連接されて、内周面２０Ａにおいて下側Ｄへ向けて広がっている。また、第１傾斜管２０の径方向の中心位置と、第１音導管１９の径方向の中心位置は略一致する。つまり、径方向において、音源１４の中心位置と、第１傾斜管２０の中心位置は略一致する。なお、上下方向Ｘに対する内周面２０Ａの傾斜角度αは、４５度程度が好ましい（図７Ｃ参照）。
【００３８】
本体部１６は、一対の嵌合部２１を一体的に有している。各嵌合部２１は、本体ケース９の筒状管３８（後述する）に嵌合する。各嵌合部２１は、本体部１６の下端部の外周面に沿う円弧状であり、本体部１６よりも下側Ｄへ張り出している。一対の嵌合部２１は、本体部１６の周方向において略１８０度ずれて配置されている。また、一対の嵌合部２１は、筒状管３８への嵌合時、後述の支持部１７が装着される基板保持部３９（図１４参照）を避けるよう、互いに離間している。
【００３９】
支持部１７は、一対で設けられている。これら一対の支持部１７の間に本体部１６が挟まれている。各支持部１７は、上下方向Ｘに延びる周壁２２と、周壁２２の上端に接続される端壁２３とを一体的に含んでいる。
本体ケース９への音源ホルダ１３の装着時、周壁２２は、基板保持部３９を内包する。上下方向Ｘに直交する方向における周壁２２の断面は、本体部１６の径方向外側へ向けて開いた略Ｃ字状である。周壁２２に取り囲まれた空間２２Ａは、その下端において外部に露出され、本体部１６の径方向外側においても外部に露出されている。
【００４０】
端壁２３は、上下方向Ｘに薄い板状であって、空間２２Ａを上側Ｕから塞いでいる。端壁２３には、端壁２３を上下方向Ｘに貫通し、空間２２Ａに連通する円形状の貫通孔２３Ａが形成されている。本体ケース９への音源ホルダ１３の装着時、端壁２３は、基板保持部３９の最上部の面（非図示）と接する。
各支持部１７は、本体部１６の周方向において一対の嵌合部２１の間に位置している。支持部１７の下端面は、本体部１６（嵌合部２１を除いた部分）の下端面と面一になっている。
【００４１】
図８は、完成した状態における音響ユニット３の平面図である。図９は、完成した状態における音響ユニット３の底面図である。完成した状態における音響ユニット３において、音源実装基板１１およびボルト１２を取り外した状態が図１０である。図１０では、音源ホルダ１３が上側Ｕに露出された状態である。完成した状態における音響ユニット３において、音源実装基板１１、ボルト１２および音源ホルダ１３を取り外した状態が図１１である。図１１では、本体ケース９が単品で存在する状態が図示されている。
【００４２】
図１２は、正面上側から見た本体ケース９の斜視図である。図１２（ａ）は、本体ケース９の全体像を示す。図１２（ｂ）および（ｃ）は、図１２（ａ）の矢印ｂおよびｃが指す位置の断面を露出させた斜視図である。なお、図１２（ｃ）では、破線円で囲まれた部分が拡大して示されている。図１３は、正面下側から見た本体ケース９の斜視図である。図１３（ａ）は、本体ケース９の全体像を示す。図１３（ｂ）および（ｃ）は、図１３（ａ）の矢印ｂおよびｃが指す位置の断面を露出させた斜視図である。図１４は、背面上側から見た音響ユニット３の斜視図である。図１４（ａ）は、本体ケース９の全体像を示す。図１４（ｂ）、（ｃ）および（ｄ）は、図１４（ａ）の矢印ｂ、ｃおよびｄが指す位置の断面を露出させた斜視図である。
【００４３】
図１２〜図１４を参照して、外周面９Ａの上端部は、上側Ｕへ向けて二段階で縮径されている。当該上端部には、径方向Ｑの外側へ突出した突起２９が、周方向Ｓに間隔を隔てて複数形成されている。これらの突起２９は、本体ケース９の上端部が信号ユニット２の下端部に下側Ｄから連結される際、信号ユニット２の下端部の溝に嵌め込まれる。フランジ部３０が、外周面９Ａの上端に形成されている。フランジ部３０は、周方向Ｓにおける全域に亘って径方向Ｑの外側へ張り出している。
【００４４】
また、Ｌ字状の溝３１が、本体ケース９の内周面９Ｃの下端部に形成されている。溝３１は、上側Ｕに延びてから折れ曲がって周方向Ｓに延びている。また、溝３１は、周方向Ｓに間隔を隔てて複数形成されている。ベース５が本体ケース９の下端部の下側Ｄに連結される際、ベース５の突起が各溝３１に対して１つずつ嵌め込まれる。
本体ケース９には、上下方向Ｘにおける略中央部に凹部３２が形成されている。凹部３２は、本体ケース９の前面９Ｂの開口１０から後側Ｂへ窪んでいる。凹部３２は、上下方向Ｘから見て前側Ｆへ膨出する半円形状をなす空間である。凹部３２は、上面および下面を形成するように、上下方向Ｘに所定の幅を有している。
【００４５】
凹部３２に関連して、本体ケース９は、前後左右に延びる上側主壁３３と、前後左右に延びる下側主壁３４と、上下左右に延びる後側主壁３５とを一体的に含んでいる。下側主壁３４は、上側主壁３３に下側Ｄで対向する。後側主壁３５は、上側主壁３３の後端と下側主壁３４の後端との間に架設される。
上側主壁３３および下側主壁３４は、上下に薄い板状であって、上下方向Ｘから見て前側Ｆへ膨出する略半円形状に形成されている。上側主壁３３および下側主壁３４の円弧部分は、外周面９Ａ（前面９Ｂ）と一致している。上側主壁３３の上面３３Ａおよび下面３３Ｂは、前後左右に平坦である。下面３３Ｂは、凹部３２の上面を形成している。下側主壁３４の上面３４Ａおよび下面３４Ｂは、前後左右に平坦であり、上面３４Ａは、凹部３２の下面を形成している。なお、凹部３２の上面と下面とが平行であってもよい。また、これら上面および下面の上下方向Ｘにおける間隔は、開口１０に近づくにつれて若干広がっていてもよい。
【００４６】
また、上側主壁３３の左右方向Ｙにおける略中央には、下側開口３６が形成されている。下側開口３６は、上側主壁３３を上下に貫通する。下側開口３６は、上下方向Ｘから見て、前側Ｆへ膨出した半円形状である。
図１４（ｃ）を参照して、上側主壁３３の上面３３Ａには、第２傾斜管３７と、筒状管３８と、基板保持部３９とが一体的に設けられている。
【００４７】
第２傾斜管３７は、上面３３Ａから上側Ｕへ延びる円筒状である。第２傾斜管３７は、下側開口３６を取り囲んでいる。第２傾斜管３７の内周面３７Ａは、下側Ｄへ向けて縮径する円錐状である。下側開口３６は、内周面３７Ａの下端によって囲まれて縁取られている。つまり、内周面３７Ａは、下側開口３６に向かって狭まっている。上下方向Ｘに対する内周面３７Ａの傾斜角度βは、３０度程度が好ましい（後述する図１５参照）。
【００４８】
筒状管３８は、第２傾斜管３７に連設されていて、第２傾斜管３７の上端を取り囲みつつ上側Ｕへ延びる筒状（詳しくは円筒状）である。第２傾斜管３７は、上側Ｕから見たとき、筒状管３８の略中央に位置する。筒状管３８の内周面３８Ａは、上下方向Ｘにおける全域において同じ直径を有する円筒状であり、第２傾斜管３７の内周面３７Ａよりも大径である。
【００４９】
本体ケース９において、内周面３８Ａで囲まれる空間が第２空間部３８Ｂである。また、内周面３７Ａで囲まれる空間が第３空間部３７Ｂである。第３空間部３７Ｂは、第２空間部３８Ｂに対して下側Ｄから連通している。また、第２空間部３８Ｂの上端は、上側開口４０である。第２空間部３８Ｂは、上側開口４０から上側Ｕへ露出している。筒状管３８は、上側開口４０から下側Ｄへ延びている。下側開口３６は、第２空間部３８Ｂの下側Ｄに設けられている。また、下側開口３６は、第３空間部３７Ｂに対して下側Ｄから連通している。下側開口３６は、上側開口４０よりも狭い（上下方向Ｘから見て小さい）。
【００５０】
基板保持部３９は、筒状管３８を左右方向Ｙから挟むように左右一対で設けられる。また、基板保持部３９は、上面３３Ａから上側Ｕへ延びる円柱状のボスである。各基板保持部３９の上端は、上下方向Ｘから見たとき、筒状管３８の上端とフランジ部３０との間に位置する。各基板保持部３９の上端面には、下側Ｄへ延びるねじ穴３９Ａが形成されている。
【００５１】
図１２（ｃ）を参照して、後側主壁３５は、前後に薄い板状であって、前側Ｆから見て、左右方向Ｙに長い長方形の帯状に形成されている。後側主壁３５の長手方向寸法は、本体ケース９の直径とほぼ等しい。後側主壁３５の前面３５Ａおよび後面３５Ｂは、上下左右に平坦である。前面３５Ａが、凹部３２の後端で上下左右に延びる背面３２Ａを構成している。厳密には、後側主壁３５の左右方向Ｙにおける略中央部は、前側Ｆへ向けて突き出ている。そのため、前面３５Ａ（凹部３２の背面３２Ａ）には、前側Ｆへ突出した凸部５０が設けられる。また、後面３５Ｂでは、左右方向Ｙで凸部５０と同じ位置にある部分が前側Ｆへ凹んでいる。なお、前面３５Ａおよび後面３５Ｂは、上下方向Ｘに正確に沿っていてもよいし、上下方向Ｘに対して若干傾斜していてもよい。この実施形態では、前面３５Ａおよび後面３５Ｂは、前下側へ傾斜している（図４参照）。前面３５Ａが前下側へ傾斜している、つまり、前面３５Ａの下側Ｄが前側Ｆへ突出していることによって、下側開口３６を通じて上側Ｕから出力される音が、前側Ｆへ放射される。
【００５２】
以上において、本体ケース９の内部空間９Ｄは、上下方向Ｘにおけるほとんどの領域において、上下方向Ｘに軸線を有する略円筒状であるが、凹部３２が設けられた位置（上下方向Ｘにおける略中央）では、上下方向Ｘから見て、後側Ｂへ膨出する半円形状になっている。
図１２（ｃ）および図１３（ｂ）を参照して、本体ケース９は、凹部３２内の左右方向Ｙにおける中央部に、前側主壁４１を含む。前側主壁４１は、左右方向Ｙに薄い板状であって、前側Ｆへ向かうに従って徐々に薄くなっている。また、前側主壁４１は、上側主壁３３と下側主壁３４との間に架設されている。前側主壁４１の前側先端部分４１Ａは、外周面９Ａの近傍（本体ケース９の外縁近傍）まで延設されている。前側主壁４１の後面４１Ｂは、上下方向Ｘから見て、前側Ｆへ凸湾曲している。
【００５３】
前側主壁４１において後面４１Ｂが形成された部分は、上下方向Ｘに延びる第２音導管４２を構成している。第２音導管４２において後側Ｂの部分は、上下に切り欠かれている。第２音導管４２において切り欠かれた部分は、出力開口４３を構成している。前側主壁４１は、出力開口４３の前側Ｆに連設して配置される。
また、出力開口４３は、凹部３２の背面３２Ａに対して前側Ｆに位置し、背面３２Ａに対して前側Ｆから対向している。そのため、後側主壁３５は、前側主壁４１の出力開口４３側に対して間隔を隔てて後側Ｂから対向している。また、出力開口４３と、後側主壁３５の凸部５０とは、左右方向Ｙで同じ位置にある。凸部５０は、出力開口４３に対して間隔を隔てて後側Ｂから対向している。
【００５４】
図１４（ｃ）を参照して、第２音導管４２で囲まれる空間が、第２音導空間部４４である。第２音導空間部４４は、出力開口４３によって後側Ｂへ露出している。第２音導空間部４４は、下側開口３６の真下に位置し、下側開口３６と出力開口４３との間を中継している。また、第２音導空間部４４は、第３空間部３７Ｂに対して下側開口３６を介して下側Ｄから連通している。
【００５５】
ここで、前述した筒状管３８、第２音導管４２および第２傾斜管３７によって、誘導空間形成部材４５が構成されている。つまり、誘導空間形成部材４５は、本体ケース９と一体化されている。また、誘導空間形成部材４５は、上側開口４０、第２空間部３８Ｂ、下側開口３６、第３空間部３７Ｂおよび第２音導空間部４４を有する。誘導空間形成部材４５により、上側開口４０、第２空間部３８Ｂ、下側開口３６、第３空間部３７Ｂおよび第２音導空間部４４が、後述する誘導空間６２として機能する。
【００５６】
図１２（ｃ）および図１３（ｂ）を参照して、前側主壁４１と、後側主壁３５と、下側主壁３４の上面３４Ａと、上側主壁３３の下面３３Ｂにおいて下側開口３６よりも後側Ｂの領域で囲まれた空間を第１の空間５１とする。前側主壁４１の左側面４１Ｃと、後側主壁３５と、上側主壁３３と、下側主壁３４とによって囲まれた空間を第２の空間５２とする。また、前側主壁４１の右側面４１Ｄと、後側主壁３５と、上側主壁３３と、下側主壁３４とによって囲まれた空間を第３の空間５３とする。前述したように後側主壁３５が前側主壁４１の出力開口４３側に対して間隔を隔てている。従って、第１の空間５１と、第２の空間５２と、第３の空間５３とは、それぞれの後端部において、左右方向Ｙに沿って連通している。
【００５７】
本体ケース９は、凹部３２内において、左側主壁４６および右側主壁４７をさらに含む。左側主壁４６は、前側主壁４１に対して左側Ｌへ間隔を隔てて配置されている。また、左側主壁４６は、後側主壁３５に対して前側Ｆへ間隔を隔てて配置されている。右側主壁４７は、前側主壁４１に対して右側Ｒへ間隔を隔てて配置されている。また、右側主壁４７は、後側主壁３５に対して前側Ｆへ間隔を隔てて配置されている。左側主壁４６および右側主壁４７は、左右方向Ｙに薄い板状であって上側主壁３３と下側主壁３４との間に架設されている。また、左側主壁４６および右側主壁４７は、前側Ｆおよび後側Ｂの両方へ向かうに従って徐々に薄くなっている。
【００５８】
厳密には、図１２（ｃ）に示すように、上下方向Ｘから見て、左側主壁４６は、本体ケース９の径方向Ｑに沿って左前側へ延びている。右側主壁４７は、径方向Ｑに沿って右前側へ延びている。左側主壁４６の前側先端部分４６Ａおよび右側主壁４７の前側先端部分４７Ａは、前側主壁４１の前側先端部分４１Ａと同様に、本体ケース９の外縁近傍まで延設されている。
【００５９】
左側主壁４６は、第２の空間５２を、左側Ｌの第４の空間５４と右側Ｒの第５の空間５５とに分割する。右側主壁４７は、第３の空間５３を、左側Ｌの第６の空間５６と右側Ｒの第７の空間５７とに分割する。前側主壁４１、左側主壁４６および右側主壁４７が後側主壁３５に対して前側Ｆへ間隔を隔てている。そのため、第１の空間５１と、第４の空間５４と、第５の空間５５と、第６の空間５６と、第７の空間５７とは、それぞれの後端部において左右方向Ｙに沿って連通している。また、第１の空間５１と、第４の空間５４と、第５の空間５５と、第６の空間５６と、第７の空間５７とにおいて左右方向Ｙに連通している部分は、前述した開口２５として、本体ケース９を左右方向Ｙに貫通している。
【００６０】
前側主壁４１、左側主壁４６および右側主壁４７のそれぞれをガイド部材４８と総称する。ガイド部材４８は、凹部３２内において、左右に間隔を隔てて複数設けられている。前述したように、ガイド部材４８のそれぞれが前側Ｆへ向かうに従って徐々に薄くなっている。そのため、左右に隣り合うガイド部材４８の互いの対向面４８Ａは、上下方向Ｘから見て、エクスポネンシャルカーブを描くように、前側Ｆに向かうにつれてラッパ状に広がっている。なお、前側主壁４１の左側面４１Ｃおよび右側面４１Ｄは、前側主壁４１における左右一対の対向面４８Ａである。
【００６１】
また、前側主壁４１、左側主壁４６および右側主壁４７は、本体ケース９と一体成型されている。これにより、部品点数の削減を図ることができる。
図１５は、図８のＸＶ−ＸＶ矢視断面図であって、各部品を分離して示した状態を示す図である。図１６は、図８のＸＶＩ−ＸＶＩ矢視断面図であって、各部品を分離して示した状態を示す図である。図１７Ａは、正面上側から見た音響ユニット３の斜視図であり、図１７Ｂおよび図１７Ｃは、図１７Ａの矢印ｂおよび矢印ｃが指す位置の断面を露出させた斜視図である。
【００６２】
図１５、図１６および図１７Ａ〜図１７Ｃを参照して、音響ユニット３の組み立てについて説明する。
まず、音源ホルダ１３を、本体ケース９の内部空間９Ｄに対して上側Ｕから挿入し、本体ケース９の筒状管３８および基板保持部３９に対して、上側Ｕから被せるように嵌め込む。
【００６３】
図１７Ｂを参照して、取り付け後の音源ホルダ１３では、本体部１６に設けられた一対の嵌合部２１が、筒状管３８を前後左右から挟み、一対の支持部１７の空間２２Ａ内に、左右一対の基板保持部３９のそれぞれが下側Ｄから挿通されている。また、音源ホルダ１３では、本体部１６の内部空間１６Ａが、筒状管３８内の第２空間部３８Ｂと連通している。
【００６４】
次に、音源実装基板１１を内部空間９Ｄ内の音源ホルダ１３に対して上側Ｕから接近させて、音源１４を音源ホルダ１３の収納部１８の収納空間１８Ｂに上側Ｕから嵌め込む。
音源１４が収納空間１８Ｂに収納された音源ホルダ１３は、音源１４を収納空間１８Ｂに収納するように音源実装基板１１を上側Ｕに保持している。そのため、音源実装基板１１が音源ホルダ１３に対して上側Ｕから載置されている。また、収納空間１８Ｂに収納された音源１４の下面における放音部１４Ａが、音源ホルダ１３の第１音導管１９の第１音導空間部１９Ｂ内に上側Ｕから露出されている。つまり、第１音導管１９は、放音部１４Ａから下側Ｄに延設されている。また、音源実装基板１１における一対の貫通孔１１Ａが、音源ホルダ１３における一対の支持部１７の貫通孔２３Ａに対して１つずつ上側Ｕから連通している（図６参照）。
【００６５】
この状態では、音源実装基板１１における一対の貫通孔１１Ａのそれぞれが、支持部１７の貫通孔２３Ａを介して、基板保持部３９のねじ穴３９Ａに対して上側Ｕから連通している（図６参照）。また、音源実装基板１１の円弧部分が、本体ケース９の内周面９Ｃに後側Ｂから沿っている（図１７Ａ参照）。なお、音源実装基板１１は、直径が異なる複数種類の本体ケース９でも共用できるように、最も直径が小さい本体ケース９の内部空間９Ｄに収容できる大きさに形成されている。
【００６６】
最後に、図１７Ｃに示すように、ボルト１２を音源実装基板１１における各貫通孔１１Ａおよび支持部１７の各貫通孔２３Ａに対して１つずつ上側Ｕから挿通して、基板保持部３９のねじ穴３９Ａにねじ込む。これにより、音源実装基板１１および音源ホルダ１３の両方が本体ケース９の誘導空間形成部材４５に固定され、音響ユニット３が完成する。
このように、誘導空間形成部材４５へ音源１４を装着する場合、音源ホルダ１３を誘導空間形成部材４５に載置し、その音源ホルダ１３の上に音源実装基板１１を組み付ける。それにより、音源１４の実装しやすさが向上するから、音響ユニット３の生産性の向上を図ることができる。
【００６７】
図１８（ａ）は、右上側から見た音響ユニット３の斜視図であり、図１８（ｂ）は、図１８（ａ）の矢印ｂが指す位置の断面を露出させた斜視図である。
図１８を参照して、完成した音響ユニット３において、音源ホルダ１３は、本体ケース９の上側主壁３３の真上に位置する。本体ケース９の内部空間９Ｄでは、音源実装基板１１よりも後側Ｂの領域が、略半円柱状の配線用空間６１として、本体ケース９を上下に貫通している。信号ユニット２の配線である前述したケーブル（図示せず）は、配線用空間６１に収納される。それにより、信号表示灯１全体をコンパクトに構成することができる。また、略半円柱状の配線用空間６１では、その直径（本体ケース９の内径）に相当する幅を有する基板を収容することもできる。この基板は、信号ユニット２における前述した発光ユニットの構成する実装基板である。
【００６８】
図１９は、図８のＸＩＸ−ＸＩＸ矢視断面図である。図２０は、図１９のＸＸ−ＸＸ矢視断面図である。
図１９を参照して、完成した音響ユニット３では、音源ホルダ１３の第１傾斜管２０および第１空間部２０Ｂが、筒状管３８の上側開口４０の上側Ｕに載置（配置）される。さらに、上側開口４０は、第１傾斜管２０および第１空間部２０Ｂに接続されている。これにより、筒状管３８が一部を構成する誘導空間形成部材４５は、音源ホルダ１３と協働して、誘導空間６２を形成する。
【００６９】
誘導空間６２は、上下方向Ｘに延びる空間であって、第１音導空間部１９Ｂと、第１空間部２０Ｂと、第２空間部３８Ｂと、第３空間部３７Ｂと、第２音導空間部４４とから構成されている。誘導空間６２において、第１音導空間部１９Ｂ、第１空間部２０Ｂ、第２空間部３８Ｂ、第３空間部３７Ｂおよび第２音導空間部４４は、この順番で上側Ｕから並んでいる。第２音導空間部４４に連通している出力開口４３は、誘導空間６２内の下側Ｄに設けられている。誘導空間６２は、第１音導空間部１９Ｂを基準に上側Ｕから見て、第１空間部２０Ｂで徐々に広がり、第３空間部３７Ｂで徐々に狭まってから、第２音導空間部４４を経て出力開口４３につながっている。
【００７０】
音源１４が放音部１４Ａから発した音は誘導空間６２によって下側Ｄへ導かれる。その音は、出力開口４３によって、上側主壁３３と下側主壁３４との対向空間（凹部３２内）へ上側Ｕから出力される。
詳しくは、図１９において太い実線矢印で示すように、音源１４が発した音は、まず第１音導空間部１９Ｂにおいて第１音導管１９によって下側Ｄへ導かれる。その後、その音は、第１空間部２０Ｂ、第２空間部３８Ｂ、第３空間部３７Ｂおよび第２音導空間部４４をこの順番で通って出力開口４３に到達する。
【００７１】
出力開口４３に到達した音は、図２０において太い実線矢印で示すように、前側主壁４１の後面４１Ｂにガイドされる。それにより、出力開口４３から凹部３２の背面３２Ａ（後側主壁３５の前面３５Ａ）へ向けて出力される。そして、その音は、背面３２Ａにおいて前側Ｆへ反射する。つまり、前側主壁４１は、出力開口４３から出力された音を後面４１Ｂによって後側Ｂへ導き、後側主壁３５は、出力開口４３から出力された音を前側Ｆへ反射させる。
【００７２】
また、背面３２Ａに設けられた凸部５０が、出力開口４３から出力されて背面３２Ａで反射する音を左右に導く。これにより、背面３２Ａで前側Ｆへ反射した音は、凹部３２内において、左右へ広がりながら前側Ｆへ向かう。この際、３つのガイド部材４８が、背面３２Ａで前側Ｆへ反射した音を本体ケース９の前側Ｆへ導く。
そして、このように凹部３２内を前側Ｆへ向かう音は、開口１０から音響ユニット３の前側Ｆへ報知される。
【００７３】
図１９に戻り、誘導空間６２の一部は、第１音導空間部１９Ｂと、第１空間部２０Ｂと、第２空間部３８Ｂと、第２音導空間部４４とから構成されている。第１音導空間部１９Ｂは、音源１４の放音部１４Ａから下側Ｄに延びている。第１空間部２０Ｂは、第１音導空間部１９Ｂから下側Ｄへ向けて広がっている。第２空間部３８Ｂは、第１空間部２０Ｂに接続される上側開口４０から下側Ｄへ筒状に延びる。第２音導空間部４４は、下側開口３６と出力開口４３との間を中継する。下側開口３６は、第２空間部３８Ｂの下側Ｄに設けられて上側開口４０よりも狭い。
【００７４】
誘導空間６２は、第２空間部３８Ｂの下側Ｄが下側開口３６によって絞られた構成である。このような誘導空間６２では、放音部１４Ａから発した音は、ヘルムホルツの原理によって共鳴し、出力開口４３から出力される。
一般に、音を発生するために振動する空気がカルマン渦を発生させると、空気の流れが悪くなり、音量の向上を阻害する。第１音導空間部１９Ｂから下側Ｄへ向けて広がる第１空間部２０Ｂによってカルマン渦の発生が抑えられる。そのため、音を発生するために振動する空気は、誘導空間６２を出力開口４３まで円滑に流れる。これにより、出力開口４３から出力される音の音圧が向上するので、音量の向上を図ることができる。
【００７５】
また、第３空間部３７Ｂは、下側開口３６に向かってテーパー状に狭まっている。これによって、第２空間部３８Ｂと第２音導空間部４４との間におけるカルマン渦の発生が抑えられる。そのため、音を発生するために振動する空気は、誘導空間６２を出力開口４３まで一層円滑に流れる。これにより、出力開口４３から出力される音の音圧が一層向上する。
【００７６】
このように、第２空間部３８Ｂの上下の隅の領域が、テーパー状に区画された第１空間部２０Ｂおよび第３空間部３７Ｂによって面取りされている。そのため、空気を誘導空間６２において音源１４から出力開口４３まで円滑に流すことができる。
なお、誘導空間６２内において、出力開口４３へ向かう音波と音源１４側へ反射する反射波との干渉が、音圧の向上を妨げる原因の一つと考えられる。この場合、第３空間部３７Ｂは、反射波を拡散して緩和する。これにより、前述した干渉が抑制され、第３空間部３７Ｂの設置によっても音圧の向上を図れる。
【００７７】
図２０を参照して、出力開口４３から出力された音が背面３２Ａで反射する。この際、この音は、背面３２Ａにおいて出力開口４３に対して後側Ｂから対向する凸部５０によって左右に導かれる。そして、凹部３２の背面３２Ａで反射した音を、出力開口４３を避けて円滑に前側Ｆへ導き、報知することができる。よって、音響ユニット３では、前側Ｆにおける音圧が高くなるので、音量の更なる向上を図ることができる。
【００７８】
また、凹部３２内に設けられたガイド部材４８は、凹部３２の背面３２Ａで反射した音を本体ケース９の前側Ｆへ円滑に導く。従って、音量の更なる向上を図ることができる。なお、ガイド部材４８は、音を前側Ｆへ一層円滑に導くために、極力薄い方が好ましい。
さらに、前述のとおり、隣り合う対向面４８Ａは、前側Ｆに向かうにつれて広がった形状である。そのため、凹部３２の背面３２Ａで反射した音は、これらの対向面４８Ａの間で増幅され、音量の更なる向上を図ることができる。
【００７９】
また、各前側先端部分４１Ａ、４６Ａおよび４７Ａは、本体ケース９の外縁近傍まで延設されている（図１２（ｃ）参照）。それにより、後側主壁３５で前側Ｆへ反射した音を本体ケース９の前側Ｆへ確実に導くことができる。従って、音響ユニット３における音量の向上を図ることができる。
以上のように、この音響ユニット３では、構造的な特徴によって、音量の向上が図られている。もちろん、音源１４として高出力のものを選べば、前述した構造的な特徴と、音源１４の電気的な特徴との相乗効果によって、更なる音量の向上が図れる。
【００８０】
一方、音響ユニット３の使用状況によっては、音響ユニット３に水がかかることが想定される。音響ユニット３では、内部空間９Ｄが信号ユニット２およびベース５によって上下から塞がれている（図２参照）。そのため、本体ケース９内への水の浸入経路は、本体ケース９の前面９Ｂの開口１０と、開口１０から後側Ｂへ窪む凹部３２と、前述した誘導空間６２とが考えられる。つまり、水が前側Ｆから本体ケース９にかかって、開口１０から凹部３２内に浸入し、出力開口４３から誘導空間６２内を上昇して音源１４に到達することが考えられる。
【００８１】
しかし、凹部３２内では、前側主壁４１が、防滴壁として出力開口４３の前側Ｆに位置している。それによって、前側Ｆから出力開口４３への水（具体的には水滴）の浸入を阻止している。特に、前側主壁４１において前側Ｆへ凸湾曲した後面４１Ｂによって、出力開口４３が前側Ｆから覆われている。従って、前側Ｆから出力開口４３への水滴の浸入を一層阻止できる。また、出力開口４３が背面３２Ａに対して前側Ｆから対向している。それにより、本体ケース９に前側Ｆから水がかかっても水が出力開口４３に直接かからない。これにより、前側Ｆからの水は、出力開口４３から音源１４および音源実装基板１１（図１９参照）に届きにくいので、防水性の更なる向上を図ることができる。
【００８２】
また、音源１４および音源実装基板１１は、出力開口４３から誘導空間６２を隔てて上側Ｕに離れて配置されている（図１９参照）。それにより、出力開口４３に水がかかったとしても、その水が音源１４および音源実装基板１１に届きにくいので、防水性の向上を図ることができる。
また、前述したように、第１の空間５１と、第２の空間５２と、第３の空間５３とは、それぞれの後端部において左右方向Ｙに沿って連通している。そのため、第１〜第３の空間５１〜５３におけるいずれかの空間に水が浸入したとしても、この水は、破線矢印で示すように、各空間の後端部を左右方向Ｙに流れる。従って、出力開口４３に浸入することなく本体ケース９の外に抜けやすい。
【００８３】
また、この実施形態では、左側主壁４６が、第２の空間５２を第４の空間５４と第５の空間５５とに分割し、右側主壁４７が、第３の空間５３を第６の空間５６と第７の空間５７とに分割している。第１の空間５１と、第４の空間５４と、第５の空間５５と、第６の空間５６と、第７の空間５７とは、それぞれの後端部において左右方向Ｙに沿って連通している。そのため、これらのいずれかの空間に水が浸入したとしても、この水は、破線矢印で示すように、各空間の後端部を左右方向Ｙに流れることにより、出力開口４３に浸入することなく本体ケース９の外に抜けやすい。
【００８４】
また、第１の空間５１と、第４の空間５４と、第５の空間５５と、第６の空間５６と、第７の空間５７とにおいて左右方向Ｙに連通している部分は、前述した開口２５として、本体ケース９を左右方向Ｙに貫通している。そのため、本体ケース９に対して前側Ｆから浸入した水は、破線矢印で示すように、各空間において左右方向Ｙに連通している開口２５を左右方向Ｙに流れる。、その後、その水は、流れる向きを変えることなく本体ケース９の外に抜けやすい。また、本体ケース９に対して左右方向Ｙから水が浸入した場合、この水は、１点鎖線矢印で示すように、後側主壁３５において出力開口４３側へ跳ねることなく、各空間において左右方向Ｙに連通している開口２５を左右方向Ｙに流れ、その後、流れる向きを変えることなく本体ケース９の外に抜けやすい。
【００８５】
さらに、左側主壁４６および右側主壁４７は、斜め前方（例えば前後方向Ｚに対し４５度、左右方向Ｙに対し４５度）から、出力開口４３に対向する前面３５Ａまたは凸部５０付近への直接的な水の浸入を防ぐ。従って、左側主壁４６および右側主壁４７は、出力開口４３への水の浸入の虞を低減している。
以上の結果、本体ケース９に水がかかったとしても、その水が出力開口４３に届きにくいので、防水性の向上を図ることができる。また、このように防水性の向上が図られた音響ユニット３では、開口１０を大きくすることによって音量の一層の向上を図ることができる。
【００８６】
この発明は、以上の実施形態の内容に限定されるものではなく、請求項記載の範囲内において種々の変更が可能である。
たとえば、以上の実施形態では、音響ユニット３という報知装置と、信号ユニット２とを備えた信号表示灯１について説明したが、音響ユニット３と信号ユニット２とを含む信号表示灯１全体を報知装置とみなしてもよい。
【００８７】
図２１〜図２５は、図２０に対応し、第１〜第５変形例を適用した断面図である。
一定の防水性の向上を優先するのであれば、図２１に示す第１変形例のように、前側主壁４１において出力開口４３を前側Ｆから覆う部分（第２音導管４２に相当する部分）が最低限存在すればよい。そのとき、左側主壁４６や右側主壁４７は省略できる。また、前述した実施形態において、前面３５Ａは、凸部５０が設けられた部分では平坦でなかったが（図２０参照）、図２１に示すように、前面３５Ａから凸部５０を省くことにより、前面３５Ａの全域が平坦面であってもよい（前述した実施形態や他の変形例においても同様）。この場合、第１〜第７の空間５１〜５７のいずれかに浸入した水を、後側主壁３５において平坦な前面３５Ａに沿って流すことができる。これにより、浸入した水が後側主壁３５の前面３５Ａにおいて出力開口４３側へ跳ねることを防止できる。従って、防水性の一層の向上を図ることができる。
【００８８】
また、防水性の向上を優先するために、図２２に示す第２変形例のように、前側主壁４１を左右に太くしてもよい。そうすれば、前側Ｆからの水が出力開口４３に届くことを一層確実に防止できる。
一方、音量の向上を優先するのであれば、図２３に示す第３変形例のように、後側主壁３５の前面３５Ａの凸部５０は、音を左右に円滑に導けるように、上下方向Ｘから見て円弧状をなす左右の湾曲面５０Ａを有していることが好ましい。左右の湾曲面５０Ａは、出力開口４３から出力される音の波形に沿うように、互いに接近する方向へ凹んでいる。左右の湾曲面５０Ａの前端がつながることによって、凸部５０の前端５０Ｂが前側Ｆに尖っている。
【００８９】
図２４に示す第４変形例のように、前側主壁４１の後面４１Ｂと出力開口４３との前後方向Ｚにおける間隔（第２音導空間部４４の前後方向Ｚにおける奥行き）が広い構成もありえる。しかし、この構成では、出力開口４３に到達した音が後面４１Ｂと出力開口４３との間の空間（第２音導空間部４４）で乱反射することにより、音量の向上が妨げられる虞があるので、前側主壁４１の後面４１Ｂと出力開口４３との前後方向Ｚにおける間隔は、前述した実施形態（図２０参照）のように、極力狭い方が好ましい。
【００９０】
図２５に示す第５変形例のように、本体ケース９は、前述した配線用空間６１（図２０参照）に相当する部分が省略されることで、上下方向Ｘから見て、前側Ｆへ膨出する半円形状の輪郭を有していてもよい。
図２６は、図１１に対応し、第６変形例を適用した断面図である。
また、上側主壁３３における下側開口３６は、前述した実施形態では、本体ケース９の成型の都合上、上下方向Ｘから見て半円形状であったが（図１１参照）、更なる音量の向上図るためには、図２６に示す第６変形例のように、上下方向Ｘから見て円形状であることが好ましい。
【００９１】
また、音響ユニット３の構成部品において、前述した図面において湾曲面として図示されていた部分は、必ずしも湾曲面でなくてもよく、図２７に示す第７変形例における筒状管３８の内周面３８Ａや音源ホルダ１３の嵌合部２１の内周面２１Ａのように、複数の平面６４を組み合わせることで構成されていてもよい。
図２８は、信号表示灯１の第８変形例に係るＬＥＤ照明１Ａの斜視図である。図２９は、第９変形例に係るＬＥＤ照明１Ａの斜視図である。
【００９２】
図２８の第８変形例および図２９の第９変形例のように、ＬＥＤ照明１Ａは、現場の壁面Ｗに取り付けて使用されてもよい。第８変形例および第９変形例の場合、音響ユニット３は、第５変形例が適用されることで上下方向Ｘから見て前側Ｆへ膨出する半円形状であり、発光ユニット２Ａを含むＬＥＤ照明１Ａ全体が、上下方向Ｘから見て半円形状である。ＬＥＤ照明１Ａは、上下左右に延びる平坦な後面１Ｂが壁面Ｗに沿うように、取り付けられる。
【００９３】
また、発光ユニット２Ａは、図２９に示すように、上下に並ぶ複数のＬＥＤ６５で構成されてもよい。また、ＬＥＤ照明１Ａでは、音響ユニット３の本体ケース９の下側Ｄに発光ユニット２Ａが配置されてもよい。もちろん、本体ケース９の上側Ｕおよび下側Ｄの両方に発光ユニット２Ａが配置された構成のＬＥＤ照明１Ａもあり得る。なお、このようなレイアウトは、図１の信号表示灯１においても同様にあり得る。
【００９４】
また、信号表示灯１は、前述したケーブルを介して外部電源から電力が供給されてもよいし、乾電池等の内蔵電池からケーブルを介して電力が供給されてもよい。また、信号表示灯１は、無線通信機器を内蔵していて、外部装置と無線通信できてもよい。
【符号の説明】
【００９５】
１      信号表示灯
１Ａ    ＬＥＤ照明
２      信号ユニット
２Ａ    発光ユニット
３      音響ユニット
９      本体ケース
９Ｂ    前面
１１    音源実装基板
１３    音源ホルダ    
１４    音源
１４Ａ  放音部
１９    第１音導管
１９Ｂ  第１音導空間部
２０    第１傾斜管
２０Ｂ  第１空間部  
３２    凹部
３２Ａ  背面
３６    下側開口
３７    第２傾斜管
３７Ｂ  第３空間部
３８    筒状管
３８Ｂ  第２空間部
４０    上側開口
４１    前側主壁
４２    第２音導管
４３    出力開口
４４    第２音導空間部
４５    誘導空間形成部材
４８    ガイド部材
４８Ａ  対向面
５０    凸部
６１    配線用空間
６２    誘導空間
Ｂ      後側
Ｄ      下側
Ｆ      前側
Ｕ      上側
【図１】
2016014732.tif 000003
【図２】
2016014732.tif 000004
【図３】
2016014732.tif 000005
【図４】
2016014732.tif 000006
【図５】
2016014732.tif 000007
【図６】
2016014732.tif 000008
【図７Ａ】
2016014732.tif 000009
【図７Ｂ】
2016014732.tif 000010
【図７Ｃ】
2016014732.tif 000011
【図７Ｄ】
2016014732.tif 000012
【図８】
2016014732.tif 000013
【図９】
2016014732.tif 000014
【図１０】
2016014732.tif 000015
【図１１】
2016014732.tif 000016
【図１２】
2016014732.tif 000017
【図１３】
2016014732.tif 000018
【図１４】
2016014732.tif 000019
【図１５】
2016014732.tif 000020
【図１６】
2016014732.tif 000021
【図１７Ａ】
2016014732.tif 000022
【図１７Ｂ】
2016014732.tif 000023
【図１７Ｃ】
2016014732.tif 000024
【図１８】
2016014732.tif 000025
【図１９】
2016014732.tif 000026
【図２０】
2016014732.tif 000027
【図２１】
2016014732.tif 000028
【図２２】
2016014732.tif 000029
【図２３】
2016014732.tif 000030
【図２４】
2016014732.tif 000031
【図２５】
2016014732.tif 000032
【図２６】
2016014732.tif 000033
【図２７】
2016014732.tif 000034
【図２８】
2016014732.tif 000035
【図２９】
2016014732.tif 000036